(57)【要約】【課題】  本発明は車両のもぐり込み防止装置に係り、トラックに正面衝突した車両がトラックの下部にもぐり込むことを防止し、併せてトラックの空力向上とラジエータの保護を図った車両のもぐり込み防止装置を提供することを目的とする。【解決手段】  トラックのフロントバンパの裏面側に装備され、両端がトラックのキャブの形状に沿って後方へ湾曲したフロントアンダランプロテクタと、前記フロントアンダランプロテクタの下面に沿って取り付き、キャブの下面を覆うアンダーカバーと、トラックのシャシフレームの左右に取り付き、前記アンダーカバーの後部側を支持する支持ブラケットとを備え、前記アンダーカバーは、前記支持ブラケットの取付部位より前方に、脆弱部がトラックの車幅方向に亘って設けられていることを特徴とする。【選択図】    図１
2014113925.tif 000002
【特許請求の範囲】
【請求項１】
トラックのフロントバンパの裏面側に装備され、両端がトラックのキャブの形状に沿って後方へ湾曲したフロントアンダランプロテクタと、
前記フロントアンダランプロテクタの下面に沿って取り付き、キャブの下面を覆うアンダーカバーと、
トラックのシャシフレームの左右に取り付き、前記アンダーカバーの後部側を支持する支持ブラケットとを備え、
前記アンダーカバーは、前記支持ブラケットの取付部位より前方に、脆弱部がトラックの車幅方向に亘って設けられていることを特徴とする車両のもぐり込み防止装置。
【請求項２】
前記脆弱部は、トラックの車幅方向に亘って形成されたジョグルと、当該ジョグルに設けられた複数の小孔とからなることを特徴とする請求項１に記載の車両のもぐり込み防止装置。
【発明の詳細な説明】
【技術分野】
【０００１】
本発明は車両のもぐり込み防止装置に係り、詳しくはトラックに正面衝突した車両がトラックの下側にもぐり込むことを防止し、併せてトラックの空力向上とラジエータの保護を図った車両のもぐり込み防止装置に関する。
【背景技術】
【０００２】
トラックと車両が正面衝突した場合、車両がトラックの下側部にもぐり込んでしまう虞がある。
【０００３】
そこで、衝突した車両がトラックの下側にもぐり込むことを防止する衝突安全装置として、昨今、特許文献１に開示されるようなフロントアンダランプロテクタをフロントバンパの下方に装備することが義務づけられた。
【０００４】
フロントアンダランプロテクタは、トラックの車幅方向全体に配置される大型部品で、一例として角形の閉断面形状に形成された中空な鋼材からなり、その中央の車幅方向の２箇所に取付ブラケットが取り付けられている。そして、シャシフレームの左右のサイドレールから下方へ突き出た左右一対の車両側ブラケットに取付ブラケットがボルト締めされて、フロントアンダランプロテクタがフロントバンパの裏面側に装備されている。
【０００５】
一方、特許文献２に開示されるように乗用車では、エンジンルームの下面を板状のアンダーカバーで覆って車体下部を平坦化することで、空気抵抗を軽減して燃費の向上を図り、走行性能の向上が図られている。
【先行技術文献】
【特許文献】
【０００６】
【特許文献１】特開２０００−２７２４４４号公報
【特許文献２】特開平８−２７６８６７号公報
【発明の概要】
【発明が解決しようとする課題】
【０００７】
しかし、このようなフロントアンダランプロテクタにあっても、フロントアンダランプロテクタより下側へのもぐり込みは防止できず、また、従来、トラックにはキャブの下面をアンダーカバーで覆う構造は採用されていないのが実情である。
【０００８】
本発明は前記アンダーカバーに着目し、これをトラックに適用することで、トラックに正面衝突した車両がトラックの下側にもぐり込むことを防止し、併せてトラックの空力向上とラジエータの保護を図った車両のもぐり込み防止装置を提供することを目的とする。
【課題を解決するための手段】
【０００９】
斯かる目的を達成するため、本発明に係る車両のもぐり込み防止装置は、トラックのフロントバンパの裏面側に装備され、両端がトラックのキャブの形状に沿って後方へ湾曲したフロントアンダランプロテクタと、前記フロントアンダランプロテクタの下面に沿って取り付き、キャブの下面を覆うアンダーカバーと、トラックのシャシフレームの左右に取り付き、前記アンダーカバーの後部側を支持する支持ブラケットとを備え、前記アンダーカバーは、前記支持ブラケットの取付部位より前方に、脆弱部がトラックの車幅方向に亘って設けられていることを特徴とする。
【発明の効果】
【００１０】
本発明によれば、アンダーカバーによって、トラックに正面衝突した車両がトラックの下側にもぐり込むことを確実に防止することができるとともに、アンダーカバーによって、トラックの空力向上とキャブ内のラジエータ等の保護を図ることができる利点を有する。
【図面の簡単な説明】
【００１１】
【図１】本発明の一実施形態に係る車両のもぐり込み防止装置を構成するフロントアンダランプロテクタとアンダーカバーの底面側斜視図である。
【図２】アンダーカバーで覆われたキャブの下面側斜視図である。
【図３】アンダーカバーとこれを支持する支持ブラケットの斜視図である。
【図４】もぐり込み防止装置の断面図である。
【図５】もぐり込み防止装置の動作説明図である。
【発明を実施するための形態】
【００１２】
以下、本発明の実施形態を図面に基づいて詳細に説明する。
【００１３】
図１はキャブオーバー型トラックの下面側斜視図を示し、図中、１はトラック２のキャブ３のフロントパネル、５はフロントバンパで、従来と同様、フロントバンパ５の裏面側にフロントアンダランプロテクタ７がキャブ３の車幅方向に亘って装着されている。
【００１４】
図４に示すようにフロントアンダランプロテクタ７は、一例として角形の閉断面形状に形成された中空な鋼材からなり、図１の如くその左右の両端はキャブ３（フロントバンパ５）の角部の形状に沿って後方へ湾曲して、昇降用のステップと一体型とされている。そして、図１及び図２に示すようにフロントアンダランプロテクタ７の下面に、一枚のアンダーカバー９が取り付けられている。
【００１５】
アンダーカバー９の前側は、両端が後方へ湾曲したフロントアンダランプロテクタ７の形状に沿って形成されている。そして、アンダーカバー９の後側は、左右のフロントタイヤ１１を避けるように内方へ切り欠かれて後側の中央が後方へ突出した形状とされており、アンダーカバー９がフロントアンダランプロテクタ７の下面に取り付くことで、図４に示すようにキャブ３の下面が覆われて、エンジンルーム１３内のオイルクーラ１５やラジエータ１７がアンダーカバー９で保護されている。
【００１６】
また、図３に示すようにシャシフレーム１９の左右のサイドレール２１の外側面には、側面視Ｌ字状の支持ブラケット２３の一端側がボルト締めされており、支持ブラケット２３の他端側はアンダーカバー９の後部側にボルト締めされている。そして、アンダーカバー９には、支持ブラケット２３の取付部位より前方に脆弱部２５がトラック２の車幅方向に亘って形成されている。
【００１７】
図１〜図３，図５に示すように脆弱部２５は、トラック２の車幅方向に亘って凹状に形成された幅狭なジョグル（段差）２７と、ジョグル２７に沿ってジョグル２７内に形成された複数の長孔（小孔）２９とで構成されており、車両（図示せず）がトラック２に正面衝突すると、脆弱なジョグル２７に亀裂が入って、図４の如くアンダーカバー９の後部側が地上側へ変形するようになっている。
【００１８】
即ち、車両が正面衝突すると、先ず、図５に示すようにフロントアンダランプロテクタ７が後方の斜め上方へ変形，移動し、これに追従してアンダーカバー９も変形する。しかし、アンダーカバー９の後部側は左右の支持ブラケット２３で強固に支持されているため、複数の長孔２９が形成されたジョグル２７の凹み箇所が引き金となって、ジョグル２７の折れ方向に亀裂が入る。この結果、図４に示すようにアンダーカバー９の後部側は、支持ブラケット２３との止め点を支点として前方へ斜め下方に変形する。
【００１９】
本実施形態に係る車両のもぐり込み防止装置３１はこのように構成されているから、トラックの通常走行時には、アンダーカバー９がキャブ３の下面の空気抵抗を軽減して空力の向上を図るとともに、オイルクーラ１５やラジエータ１７を保護する。
【００２０】
また、複数の長孔２９は通気孔として機能し、エンジンルーム１３内の空気が長孔２９を通って下に抜けていく。尚、脆弱部２５をアンダーカバー９の前側に設けて、下からの空気が長孔２９を通って上に抜けるようにしてもよい。
る
そして、車両がトラックに正面衝突すると、既述したように脆弱なジョグル２７に亀裂が入って、図４の如くアンダーカバー９の後部側が地上側へ変形し、この変形によってアンダーカバー９が、フロントアンダランプロテクタ７より下側への車両のもぐり込みを確実に防止することとなる。
【００２１】
このように本実施形態に係る車両のもぐり込み防止装置３１によれば、
(a)アンダーカバー９によって、トラック２に正面衝突した車両がトラック２の下側にもぐり込むことを確実に防止することができるとともに、
(b)アンダーカバー９によって、トラック２の空力向上とオイルクーラ１５やラジエータ１７の保護を図ることができる利点を有する。
【００２２】
尚、本実施形態では、ジョグル２７と長孔２９とで脆弱部２５を形成したが、脆弱部の構造はジョグル２７と長孔２９に限定されるものでないことは勿論である。
【符号の説明】
【００２３】
１  フロントパネル
３  キャブ
５  フロントバンパ
７  フロントアンダランプロテクタ
９  アンダーカバー
１１  フロントタイヤ
１３  エンジンルーム
１５  オイルクーラ
１７  ラジエータ
１９  シャシフレーム
２１  サイドレール
２３  支持ブラケット
２５  脆弱部
２７  ジョグル
２９  長孔
３１  もぐり込み防止装置
【図１】
2014113925.tif 000003
【図２】
2014113925.tif 000004
【図３】
2014113925.tif 000005
【図４】
2014113925.tif 000006
【図５】
2014113925.tif 000007